(57)【要約】【課題】本発明の課題は、突出部を有するヘッドライトにおいて光源としてＬＥＤチップを用いる場合に、突出部の支持剛性とヘッドライトの配光性とを確保しながら、ＬＥＤ基板の収容効率と放熱効率とを向上させることにある。【解決手段】後壁部の少なくとも一部は、ＬＥＤチップよりも後方に配置される。後壁部は、ＬＥＤチップの光を前方に照射する。周壁部は、後壁部から前方に向けて延びると共に前後方向に延びる軸線の周方向に延びる。突出部は、周壁部の径方向内方において後壁部から前方へ突出する。リブ部は、周壁部の径方向に延びると共に、突出部と周壁部とに接続される。収容部材には、ＬＥＤ基板が配置される基板配置空間が設けられる。基板配置空間は、第１空間と第２空間とを含む。第１空間は、突出部の内部に設けられる。第２空間は、リブ部の内部に設けられ、第１空間に連通する。【選択図】図５
2017013712.tif 000002
【特許請求の範囲】
【請求項１】
ＬＥＤチップと、前記ＬＥＤチップに電気的に接続されるＬＥＤ基板と、を含むＬＥＤ装置と、
前方に向けて開口する開口部を有し、前記ＬＥＤ装置を収容するハウジングと、
前記ハウジングに収容され、前記ＬＥＤチップの光を反射する反射部材と、
前記ハウジングの開口部に配置され、前記ＬＥＤチップの光を前方へ透過させるクリアカバーと、
を備え、
前記反射部材は、
少なくとも一部が前記ＬＥＤチップよりも後方に配置される後壁部と、
前記後壁部から前方に向けて延びると共に、前後方向に延びる軸線の周方向に延びる周壁部と、
前記周壁部の径方向内方において前記後壁部から前方へ突出する突出部と、
前記周壁部の径方向に延びると共に、前記突出部と前記周壁部とに接続されるリブ部と、
を含み、
前記反射部材には、前記ＬＥＤ基板が配置される基板配置空間が設けられ、
前記基板配置空間は、
前記突出部の内部に設けられる第１空間と、
前記リブ部の内部に設けられ、前記第１空間に連通する第２空間と、
を含む、
ヘッドライト。
【請求項２】
前記リブ部は、
正面視において前記突出部から左方に延びる左リブ部と、
正面視において前記突出部から右方に延びる右リブ部と、
を含む、
請求項１に記載のヘッドライト。
【請求項３】
前記リブ部及び突出部は、正面視で前記周壁部内を、上部空間と下部空間とに区画する、
請求項１又は２に記載のヘッドライト。
【請求項４】
前記ＬＥＤチップは、
前記上部空間に光を照射する第１ＬＥＤチップと、
前記下部空間に光を照射する第２ＬＥＤチップと、
を含む、
請求項３に記載のヘッドライト。
【請求項５】
前記ＬＥＤ基板は、
前記第１ＬＥＤチップと電気的に接続される第１基板と、
前記第２ＬＥＤチップと電気的に接続される第２基板と、
を含む、
請求項４に記載のヘッドライト。
【請求項６】
前記突出部及び／又は前記リブ部は、前記基板配置空間と前記上部空間とを連通させる上部開口を含み、
前記第１ＬＥＤチップは、前記上部開口を通して前記上部空間に光を照射する、
請求項５に記載のヘッドライト。
【請求項７】
前記突出部及び／又は前記リブ部は、前記基板配置空間と前記下部空間とを連通させる下部開口を含み、
前記第２ＬＥＤチップは、前記下部開口を通して前記下部空間に光を照射する、
請求項５又は６に記載のヘッドライト。
【請求項８】
前記第１基板及び／又は前記第２基板は、前記第１空間と前記第２空間とに亘って配置される、
請求項５から７のいずれかに記載のヘッドライト。
【請求項９】
前記リブ部の厚さ方向において、前記リブ部の寸法は、前記突出部の寸法よりも小さい、
請求項１から８のいずれかに記載のヘッドライト。
【請求項１０】
前記ＬＥＤチップは、前記第１空間に配置される第３ＬＥＤチップを含む、
請求項１から９のいずれかに記載のヘッドライト。
【請求項１１】
前記ＬＥＤチップは、前記第１空間に配置される第３ＬＥＤチップをさらに含み、
前記第３ＬＥＤチップは、前記第２基板の上面に取り付けられ、
前記第２ＬＥＤチップは、前記第２基板の下面に取り付けられる、
請求項５から９のいずれかに記載のヘッドライト。
【請求項１２】
前記ＬＥＤチップは、前記第１空間に配置される第３ＬＥＤチップをさらに含み、
前記第３ＬＥＤチップは、前記第１基板の下面に取り付けられ、
前記第１ＬＥＤチップは、前記第１基板の上面に取り付けられる、
請求項５から９のいずれかに記載のヘッドライト。
【請求項１３】
前記反射部材は、前記第１空間に配置され、前記第３ＬＥＤチップの光を前方へ向けて反射する反射部材をさらに含む、
請求項１０から１２のいずれかに記載のヘッドライト。
【請求項１４】
前記突出部は、筒状である、
請求項１から１３のいずれかに記載のヘッドライト。
【請求項１５】
前記突出部の先端部に取り付けられ、透光性を有する材料で形成されるインナーカバーをさらに備える、
請求項１から１４のいずれかに記載のヘッドライト。
【発明の詳細な説明】
【技術分野】
【０００１】
本発明は、ヘッドライトに関する。
【背景技術】
【０００２】
従来より、様々なデザインのヘッドライトが提案されている。例えば、特許文献１に記載のヘッドライト（３６）は、支持部材（４５）から前方に向けて突出するプロジェクタランプユニット（４２）を有している。プロジェクタランプユニット（４２）は、ヘッドライト（３６）の車幅方向における中心に配置されている。プロジェクタランプユニット（４２）は、支持部材（４５）の底部に配置されている。
【０００３】
一方で、近年、省電力化のため、ＬＥＤを用いたヘッドライトユニットが採用され始めている。例えば、特許文献２では、ハイビームの発光素子としてＬＥＤチップ（１１４ａ）が用いられ、ロービームの発光素子としてＬＥＤチップ（１１４ｂ）が用いられている。ハイビームのＬＥＤチップ（１１４ａ）は、左右方向に延びるＬＥＤ基板（１１２）の下面に配置されている。ロービームのＬＥＤチップ（１１４ｂ）は、左右方向に延びるＬＥＤ基板（１１２）の上面に配置されている。ハイビームのＬＥＤチップ（１１４ａ）は、ロービームのＬＥＤチップ（１１４ｂ）の下方に配置されている。
【先行技術文献】
【特許文献】
【０００４】
【特許文献１】特開２０１３−１１２２７２号
【特許文献２】特開２０１３−１７８９０４号
【発明の概要】
【発明が解決しようとする課題】
【０００５】
デザインの要請により、特許文献１のプロジェクタランプユニット（４２）のような突出部を車幅方向の中心且つ上下方向の中心に寄せる構成が検討される場合がある。しかしながら、この構成では、突出部が支持部材から片持ち状に突出する構成となるので支持剛性の不足が懸念される。この場合、突出部と反射部材との配光性を害さない範囲内で突出部の断面積を大きくすることで支持剛性を向上させることが考えられる。
【０００６】
ところで、そのような突出部が設けられるヘッドライトにおいて、光源としてＬＥＤチップを用いる場合、ＬＥＤチップが実装されるＬＥＤ基板を突出部の内部に配置することが考えられる。この構成では、ＬＥＤ基板が外部から見え難くなるため、美観に優れ、また収容効率を向上させることができる。
【０００７】
しかし、突出部の内部にＬＥＤ基板が配置されると、ＬＥＤ基板の周囲を囲う突出部によってＬＥＤ基板からの放熱が阻害されてしまう。この場合、熱対策としては、突出部の断面積をさらに大きくするのが有効である。しかしながら、上述したように、突出部周辺に配置されるLED光源と反射部材との距離が短くなることで配光性を害する恐れがある。
【０００８】
別案として、放熱空間を大きく確保するために、突出部を前方に長くする案が考えられる。しかしながら、この構成では、突出部が片持ち状により長く突出することになるので、再び突出部の支持剛性の不足が懸念される。また、突出部の前方にはクリアレンズが位置しているので、突出部を長くするのには制限がある。
【０００９】
本発明の課題は、周壁部の径方向内方において後壁部から前方へ突出する突出部を有するヘッドライトにおいて光源としてＬＥＤチップを用いる場合に、突出部の支持剛性とヘッドライトの配光性とを確保しながら、ＬＥＤ基板の収容効率と放熱効率を向上させることにある。
【課題を解決するための手段】
【００１０】
本発明の一態様に係るヘッドライトは、ＬＥＤ装置と、ハウジングと、反射部材と、クリアカバーと、を備える。ＬＥＤ装置は、ＬＥＤチップとＬＥＤ基板とを含む。ＬＥＤ基板は、ＬＥＤチップに電気的に接続される。ハウジングは、前方に向けて開口する開口部を有する。ハウジングは、ＬＥＤ装置を収容する。反射部材は、ハウジングに収容され、ＬＥＤチップの光を反射する。クリアカバーは、ハウジングの開口部に配置され、ＬＥＤチップの光を前方へ透過させる。反射部材は、後壁部と、周壁部と、突出部と、リブ部と、を含む。
【００１１】
後壁部の少なくとも一部は、ＬＥＤチップよりも後方に配置される。周壁部は、後壁部から前方に向けて延びると共に、前後方向に延びる軸線の周方向に延びる。突出部は、周壁部の径方向内方において後壁部から前方へ突出する。リブ部は、周壁部の径方向に延びると共に突出部と周壁部とに接続される。反射部材には、ＬＥＤ基板が配置される基板配置空間が設けられる。基板配置空間は、第１空間と第２空間とを含む。第１空間は、突出部の内部に設けられる。第２空間は、リブ部の内部に設けられ、第１空間に連通する。
【００１２】
本態様に係るヘッドライトでは、周壁部の径方向内方において後壁部から前方へ突出する突出部を構成しても、突出部と周壁部とに接続されるリブ部によって突出部の支持剛性を向上させることができる。
また、突出部の第１空間とリブ部の第２空間とが繋がって基板配置空間とされているので、突出部単体に比べて放熱する空間の容積を大きく確保することができる。このため、放熱空間容積を向上させるために、突出部の断面積や長さを大きくする必要性を低減させることができる。
一方、リブ部は、径方向に延びて突出部と周壁部とに接続されて突出部周囲の空間を区切るので、突出部の周囲の空間のうちリブ部を除く大部分で突出部と周壁部との間の距離が長く確保される。このため、突出部の断面積を径方向に一様に大きくして放熱空間を確保する場合に比べて、配光性を確保し易い。
従って、突出部の支持剛性とヘッドライトの配光性とを確保しながら、ＬＥＤ基板の放熱効率を向上させることができる。
【００１３】
リブ部は、左リブ部と右リブ部とを含んでもよい。左リブ部は、正面視において突出部から左方に延びてもよい。右リブ部は、正面視において突出部から右方に延びてもよい。この場合、左右のリブ部によって、突出部の支持剛性をさらに向上することができる。
【００１４】
リブ部及び突出部は、正面視で前記周壁部内を、上部空間と下部空間とに区画してもよい。この場合、上部空間及び／又は下部空間からの配光性を向上させることができる。
【００１５】
ＬＥＤチップは、第１ＬＥＤチップと第２ＬＥＤチップとを含んでもよい。第１ＬＥＤチップは、上部空間に光を照射してもよい。第２ＬＥＤチップは、下部空間に光を照射してもよい。この場合、リブ部及び突出部によって、上部空間の第１ＬＥＤチップと下部空間の第２ＬＥＤチップとからの配光性を向上させることができる。
【００１６】
ＬＥＤ基板は、第１基板と第２基板とを含んでもよい。第１基板は、第１ＬＥＤチップと電気的に接続されてもよい。第２基板は、第２ＬＥＤチップと電気的に接続されてもよい。この場合、ＬＥＤ基板が第１基板と第２基板とに分けられていることで、レイアウトの自由度を向上させることができる。
【００１７】
突出部及び／又はリブ部は、基板配置空間と上部空間とを連通させる上部開口を含んでもよい。第１ＬＥＤチップは、上部開口を通して上部空間に光を照射してもよい。この場合、ＬＥＤ基板を基板配置空間内に配置しつつ、上部開口から上部空間に光を照射することができる。また、ＬＥＤ基板の一部が上部開口から露出することで、当該一部の局所的な熱を、上部開口を通して上部空間に逃がすことができる。これにより、放熱効率を全体的に向上させることができる。
【００１８】
突出部及び／又はリブ部は、基板配置空間と下部空間とを連通させる下部開口を含んでもよい。第２ＬＥＤチップは、下部開口を通して下部空間に光を照射してもよい。この場合、ＬＥＤ基板を基板配置空間内に配置しつつ、下部開口から下部空間に光を照射することができる。また、ＬＥＤ基板の一部が下部開口から露出することで、当該一部の局所的な熱を、下部開口を通して下部空間に逃がすことができる。これにより、放熱効率を全体として向上させることができる。
【００１９】
第１基板及び／又は第２基板は、第１空間と第２空間とに亘って配置されてもよい。この場合、第１基板及び／第２基板の熱を第１空間と第２空間とに逃がすことができる。これにより、放熱効率がさらに向上する。また、レイアウトの自由度が向上するため、大型の基板を収容することができる。
【００２０】
リブ部の厚さ方向において、リブ部の寸法は、突出部の寸法よりも小さくてもよい。この場合、リブ部の厚さ方向において、リブ部の寸法を突出部の寸法以上にした場合に比べて、リブ部によって区切られる空間を大きく確保することができる。つまり、照射面積をさらに大きく確保できる。
【００２１】
ＬＥＤチップは、第１空間に配置される第３ＬＥＤチップを含んでもよい。この場合、突出部から光を照射することができる。
【００２２】
第３ＬＥＤチップは、第２基板の上面に取り付けられてもよい。第２ＬＥＤチップは、第２基板の下面に取り付けられてもよい。この場合、第２ＬＥＤチップと第３ＬＥＤチップとを第２基板の上下の面にそれぞれ取り付けることで、第２基板を共通化できる。
【００２３】
第３ＬＥＤチップは、第１基板の下面に取り付けられてもよい。第１ＬＥＤチップは、第１基板の上面に取り付けられてもよい。この場合、第１ＬＥＤチップと第３ＬＥＤチップとを第１基板の上下の面にそれぞれ取り付けることで、第１基板を共通化できる。
【００２４】
反射部材は、反射部をさらに備えてもよい。反射部は、第１空間に配置され、第３ＬＥＤチップの光を前方へ向けて反射してもよい。この場合、第３ＬＥＤチップのレイアウトの自由度を向上させることができる。
【００２５】
突出部は、筒状であってもよい。この場合、支持剛性をさらに向上することができる。
【００２６】
ヘッドライトは、インナーカバーをさらに備えてもよい。インナーカバーは、突出部の先端部に取り付けられ、透光性を有する材料で形成されてもよい。この場合、インナーカバーで前方に照射される光を調整することができる。
【発明の効果】
【００２７】
本発明によれば、周壁部の径方向内方において後壁部から前方へ突出する突出部を有するヘッドライトにおいて光源としてＬＥＤチップを用いる場合に、突出部の支持剛性とヘッドライトの配光性とを確保しながら、ＬＥＤ基板の収容効率と放熱効率を向上させることができる。
【図面の簡単な説明】
【００２８】
【図１】実施形態に係るスクータ型車両の側面図である。
【図２】スクータ型車両の正面図である。
【図３】ヘッドライトの斜視図である。
【図４】ヘッドライトの分解斜視図である。
【図５】反射部材の正面図である。
【図６】反射部材を斜め後上方から見た斜視図である。
【図７】反射部材を斜め後下方から見た斜視図である。
【図８】図５におけるVIII−VIII断面図である。
【図９】図５におけるIX−IX断面図である。
【図１０】図５におけるX−X断面図である。
【図１１】第１基板及び第２基板が取り外された状態の反射部材の斜視図である。
【図１２】第１基板及び第２基板が取り外された状態の反射部材の斜視図である。
【図１３】第１反射部材の背面図である。
【図１４】第１反射部材を前斜め上方から見た斜視図である。
【図１５】第１反射部材を斜め後下方から見た斜視図である。
【図１６】第２反射部材を斜め後上方から見た斜視図である。
【図１７】第２反射部材の正面図である。
【図１８】第２反射部材を前斜め上方から見た斜視図である。
【図１９】第２反射部材の平面図である。
【発明を実施するための形態】
【００２９】
以下、実施形態に係るスクータ型車両１について図面を参照して説明する。図１は、スクータ型車両１の側面図である。図２は、スクータ型車両１の正面図である。スクータ型車両１は、車体カバー２と、ヘッドライト３と、前輪４と、シート５と、後輪６と、パワーユニット７と、を含む。
【００３０】
なお、本明細書において、スクータ型車両１の前後方向、スクータ型車両１の上下方向、スクータ型車両１の左右方向とは、スクータ型車両１に乗車したライダーから見た前後、左右、上下の方向である。
【００３１】
図１に示すように、車体カバー２は、フロントカバー１１と、リアカバー１２と、ロアカバー１３とを含む。フロントカバー１１は、シート５の前方に配置される。フロントカバー１１は、ステアリング装置１４を覆う。ステアリング装置１４は、フロントカバー１１に対して左右に回転可能に設けられている。図２に示すように、ステアリング装置１４は、左右一対のサスペンション１５，１６を含む。ステアリング装置１４の上部にはハンドル１７が取り付けられている。ステアリング装置１４の下部には、前輪４が回転可能に支持されている。
【００３２】
フロントカバー１１には、ヘッドライト３が取り付けられる。フロントカバー１１には、左右のフラッシャ１８，１９が取り付けられる。リアカバー１２は、シート５の下方に配置される。リアカバー１２は、フロントカバー１１の後方に配置される。
【００３３】
ロアカバー１３は、フロントカバー１１とリアカバー１２との間に配置される。ロアカバー１３の上面は、フートボード２１を含む。フートボード２１は、シート５より下方且つ前方に配置されている。フートボード２１は、ライダーが足を置くように設けられる。フラットフートボード２１は、平坦な形状を有する。ただし、フートボード２１の中央部に、上方に突出し且つ前後方向に延びるトンネル部が設けられてもよい。
【００３４】
パワーユニット７は、シート５の下方に配置されている。パワーユニット７は、エンジン９とトランスミッション１０とを含む。パワーユニット７は、後輪６を回転可能に支持している。
【００３５】
次に、ヘッドライト３について詳細に説明する。図３は、ヘッドライト３の斜視図である。図４は、ヘッドライト３の分解斜視図である。以下の記載において、上下、左右、前後の各方向は、ヘッドライト３がスクータ型車両１に搭載された状態での方向を意味するものとする。図３及び図４に示すように、ヘッドライト３は、クリアカバー３０と、反射部材３１と、インナーカバー３２と、ＬＥＤ装置３３と、ハウジング３４と、を含む。
【００３６】
クリアカバー３０は、透光性を有する材料で形成されている。クリアカバー３０は、ハウジング３４に取り付けられる。ハウジング３４は、クリアカバー３０の後方に配置される。ハウジング３４は、フロントカバー１１に取り付けられる。ハウジング３４は、前方に向けられた開口部３４ａを有している。開口部３４ａにはクリアカバー３０が配置されている。クリアカバー３０とハウジング３４との内部には、インナーカバー３２と、反射部材３１と、ＬＥＤ装置３３とが収容される。
【００３７】
ＬＥＤ装置３３は、複数のＬＥＤ基板３５，３６と複数のＬＥＤチップ３７−４０とを含む。具体的には、ＬＥＤ装置３３は、第１基板３５と第２基板３６とを含む。第１基板３５は、左右方向に長い形状を有する。第２基板３６は、前後方向に長い形状を有する。ＬＥＤ装置３３は、第１ＬＥＤチップ３７と、第２ＬＥＤチップ３８と、第３ＬＥＤチップ３９と、第４ＬＥＤチップ４０と、を含む。
【００３８】
第１ＬＥＤチップ３７と第４ＬＥＤチップ４０とは、第１基板３５に実装されており、第１基板３５と電気的に接続されている。第１ＬＥＤチップ３７と第４ＬＥＤチップ４０とは、第１基板３５上において左右方向に互いに離れて配置されている。第２ＬＥＤチップ３８と第３ＬＥＤチップ３９とは、第２基板３６に実装されており、第２基板３６と電気的に接続されている。第２ＬＥＤチップ３８と第３ＬＥＤチップ３９とは、前後方向に互いに離れて配置されている。第３ＬＥＤチップ３９は、第２ＬＥＤチップ３８よりも前方に配置される。
【００３９】
反射部材３１は、第１反射部材４１と第２反射部材４２とを含む。図５は、反射部材３１の正面図である。図６は、反射部材３１を斜め後上方から見た斜視図である。図７は、反射部材３１を斜め後下方から見た斜視図である。なお、図５では、第１基板３５及び第２基板３６の位置を破線で示している。図６及び図７に示すように、第１基板３５は、第１反射部材４１に取り付けられる。第２基板３６は、第２反射部材４２に取り付けられる。
【００４０】
図８は、図５におけるVIII−VIII断面図である。図９は、図５におけるIX−IX断面図である。図１０は、図５におけるX−X断面図である。なお、図７から図１０においては、上述したクリアカバー３０及びハウジング３４の断面も図示されている。
【００４１】
図５、図８、及び図９に示すように、反射部材３１は、ハウジング３４に収容される。反射部材３１は、第１ＬＥＤチップ３７と、第２ＬＥＤチップ３８と、第４ＬＥＤチップ４０の光を反射する。図において、反射部材３１の前後方向に延びる軸線Ｐを示している。
【００４２】
反射部材３１は、後壁部４３，４４と、突出部４５と、周壁部４６と、リブ部４７，４８とを含む。後壁部４３，４４は、第１後壁部４３と第２後壁部４４とを含む。第１後壁部４３は、正面視において、突出部４５及びリブ部４７，４８の上方に位置する。第１後壁部４３は、後方に凸に湾曲した形状が左右に並んだ構造になっている。第２後壁部４４は、正面視において突出部４５及びリブ部４７，４８の下方に位置する。第２後壁部４４は、後方に凸に湾曲した形状を有する。
【００４３】
周壁部４６は、後壁部４３，４４から前方に向けて延びている。周壁部４６は、第１周壁部４９と第２周壁部５０とを含む。第１周壁部４９は、第１後壁部４３から前方に向けて延びている。第１周壁部４９は、軸線Ｐの周方向に延びている。第１周壁部４９は、正面視において、突出部４５及びリブ部４７，４８の上方に位置する。
【００４４】
第２周壁部５０は、第２後壁部４４から前方に向けて延びている。第２周壁部５０は、軸線Ｐの周方向に延びている。第２周壁部５０は、正面視において、突出部４５及びリブ部４７，４８の下方に位置する。
【００４５】
図９に示すように、突出部４５は、周壁部４６の径方向内方において第１後壁部４３及び第２後壁部４４から前方へ突出している。突出部４５は、周壁部４６と径方向に間隔を空けている。突出部４５は、筒状の形状を有する。詳細には、図５に示すように、突出部４５は、円筒状である。すなわち、突出部４５の先端部は、正面視において、略円形の外形を有する。突出部４５の先端部５１には、開口５１０が形成されている。突出部４５は、前後方向において第１周壁部４９に重なる。すなわち、突出部４５は、平面視において第１周壁部４９に重なる。突出部４５は、前後方向において第２周壁部５０に重なる。すなわち、突出部４５は、平面視において第２周壁部５０に重なる。
【００４６】
リブ部４７，４８は、周壁部４６の径方向に延びて突出部４５と周壁部４６とに接続される。リブ部４７，４８は、左リブ部４７と右リブ部４８とを含む。左リブ部４７は、正面視において突出部４５から左方に延びる。右リブ部４８は、正面視において突出部４５から右方に延びる。突出部４５は、左リブ部４７と右リブ部４８との間に配置されている。
【００４７】
図５に示すように、左リブ部４７の上下方向（厚さ方向）の寸法Ｌ１は、突出部４５の上下方向の寸法Ｌ２よりも小さい。なお、図５では、左リブ部４７の上下方向の寸法Ｌ１は、左リブ部４７と突出部４５との接続部における上下方向の寸法がＬ１として示されている。しかし、Ｌ１は、左リブ部４７の他の部分の上下方向の寸法であってもよい。例えば、Ｌ１は、左リブ部４７において最も上下方向に小さい部分の上下方向の寸法であってもよい。
【００４８】
右リブ部４８の上下方向（厚さ方向）の寸法は、左リブ部４７の上下方向の寸法Ｌ１と同じである。従って、右リブ部４８の上下方向の寸法は、突出部４５の上下方向の寸法よりも小さい。左右のリブ部４７，４８及び突出部４５は、周壁部４６の径方向内方の空間を、上部空間Ｓ１と下部空間Ｓ２とに区画している。なお、図８に示すように、上部空間Ｓ１と下部空間Ｓ２とは、左右のリブ部４７，４８及び突出部４５の前方、且つ、クリアカバー３０の後方に位置する空間において、互いに連通している。
【００４９】
上述した突出部４５、周壁部４６及びリブ部４７，４８は、それぞれ第１反射部材４０と第２反射部材４１とが組み合わさることで構成されている。これら第１反射部材４０と第２反射部材４１の詳細構造については後述する。
【００５０】
図４に示すインナーカバー３２は、透光性を有する材料で形成される。インナーカバー３２は、突出部４５の先端部５１に取り付けられる。図４に示すように、インナーカバー３２は、中央カバー部３２１と、左延出部３２２と、右延出部３２３とを含む。図９に示すように、突出部４５の先端部５１には開口５１０が設けられている。中央カバー部３２１は、突出部４５の先端部５１の開口５１０を閉じる。
【００５１】
左延出部３２２は、中央カバー部３２１から左方に延びている。右延出部３２３は、中央カバー部３２１から右方に延びている。図８に示すように、左延出部３２２は、左リブ部４７の前面４７３の後方に配置される。右延出部３２３は、右リブ部４８の前面４８３の後方に配置される。
【００５２】
図８及び図９に示すように、反射部材３１には、ＬＥＤ基板３５，３６が配置される基板配置空間Ｓ３が設けられている。詳細には、図１０に示すように、基板配置空間Ｓ３は、突出部４５の内部に設けられる第１空間Ｓ４と、左右のリブ部４７，４８の内部に設けられる第２空間Ｓ５，Ｓ６とを含む。第２空間Ｓ５，Ｓ６は、左リブ部４７の内部に設けられる第２左空間Ｓ５と、右リブ部４８の内部に設けられる第２右空間Ｓ６とを含む。第２左空間Ｓ５と第２右空間Ｓ６とは、第１空間Ｓ４に連通する。
【００５３】
第１基板３５は、第２左空間Ｓ５と第１空間Ｓ４と第２右空間Ｓ６とに亘って配置される。図８に示すように、第１ＬＥＤチップ３７は、第１基板３５の上面に取り付けられる。同様に、第４ＬＥＤチップ４０は、第１基板３５の上方に取り付けられる。
【００５４】
図１１は、第１基板３５及び第２基板３６が取り外された状態の反射部材３１の斜視図である。図１１に示すように、リブ部４７，４８は、左上部開口４７１と右上部開口４８１とを含む。左上部開口４７１と右上部開口４８１とは、基板配置空間Ｓ３と上部空間Ｓ１とを連通させる。詳細には、図８に示すように、左上部開口４７１は、左リブ部４７の上面４７２に設けられている。左上部開口４７１は、第２左空間Ｓ５と上部空間Ｓ１とを連通させる。右上部開口４８１は、右リブ部４８の上面４８２に設けられている。右上部開口４８１は、第２左空間Ｓ５と上部空間Ｓ１とを連通させる。
【００５５】
第１ＬＥＤチップ３７は、左上部開口４７１を通して上部空間Ｓ１に面して配置されている。第１ＬＥＤチップ３７は、左上部開口４７１を通して上部空間Ｓ１に光を照射する。第４ＬＥＤチップ４０は、右上部開口４８１を通して上部空間Ｓ１に面して配置されている。第４ＬＥＤチップ４０は、右上部開口４８１を通して上部空間Ｓ１に光を照射する。
【００５６】
図８に示すように、第１後壁部４３の後端４３１は、第１ＬＥＤチップ３７よりも後方に配置されている。第１後壁部４３において上部空間Ｓ１に臨む面４３３は、鏡面となっている。第１周壁部４９において上部空間Ｓ１に臨む面４９１は、鏡面となっている。第１後壁部４３と第１周壁部４９とは、第１ＬＥＤチップ３７からの光と、第４ＬＥＤチップ４０からの光とを前方に反射する。上述したクリアカバー３０は、第１ＬＥＤチップ３７及び第４ＬＥＤチップ４０の前方に配置されており、第１後壁部４３及び第１周壁部４９が反射した第１ＬＥＤチップ３７及び第４ＬＥＤチップ４０からの光を前方へ透過させる。
【００５７】
第２基板３６は、第１空間Ｓ４に配置される。図９に示すように、第２ＬＥＤチップ３８は、第２基板３６の下面に取り付けられる。
【００５８】
図１２は、第１基板３５及び第２基板３６が取り外された状態の反射部材３１の斜視図である。図１２に示すように、突出部４５は、下部開口４５１を含む。下部開口４５１は、基板配置空間Ｓ３と下部空間Ｓ２とを連通させる。詳細には、図９に示すように、下部開口４５１は、突出部４５の底面５２に設けられている。下部開口４５１は、第１空間Ｓ４と下部空間Ｓ２とを連通させる。
【００５９】
第２ＬＥＤチップ３８は、下部開口４５１を通して下部空間Ｓ２に面して配置されている。第２ＬＥＤチップ３８は、下部開口４５１を通して下部空間Ｓ２に光を照射する。図９に示すように、第２後壁部４４の後端４４１は、第２ＬＥＤチップ３８よりも後方に配置されている。第２後壁部４４において下部空間Ｓ２に臨む面４４２は、鏡面となっている。第２周壁部５０において下部空間Ｓ２に臨む面５０１は、鏡面となっている。第２後壁部４４と第２周壁部５０とは、第２ＬＥＤチップ３８からの光を前方に反射する。上述したクリアカバー３０は、第２ＬＥＤチップ３８の前方に配置されており、第２後壁部４４及び第２周壁部５０が反射した第２ＬＥＤチップ３８からの光を前方へ透過させる。
【００６０】
第３ＬＥＤチップ３９は、第２基板３６の上面に取り付けられており、第１空間Ｓ４に配置される。第１空間Ｓ４には反射部５３が配置されている。反射部５３は後方に凸に湾曲した形状を有する。反射部５３の前面は鏡面となっている。反射部５３は、第３ＬＥＤチップ３９の光を前方へ向けて反射する。上述したインナーカバー３２の中央カバー部３２１は、反射部５３の前方に配置されており、反射部５３によって反射された第３ＬＥＤチップ３９からの光を前方へ透過させる。クリアカバー３０は、中央カバー部３２１を透過した第３ＬＥＤチップ３９からの光を前方に透過させる。
【００６１】
次に、第１反射部材４１と第２反射部材４２との構造について詳細に説明する。第１反射部材４１と第２反射部材４２とは、互いに別体である。第２反射部材４２は、第１反射部材４１に取り付けられる。
【００６２】
図１３は、第１反射部材４１の背面図である。図１４は、第１反射部材４１を前斜め上方から見た斜視図である。図１５は、第１反射部材４１を斜め後下方から見た斜視図である。第１反射部材４１は、上述した第１後壁部４３と第１周壁部４９と第１左リブ部４７Ａと、第１右リブ部４８Ａとを有している。第１左リブ部４７Ａは、上面４７２及び前面４７３を含む。第１右リブ部４８Ａは、上面４８２及び前面４８３を含む。図１４に示すように、第１左リブ部４７Ａの上面４７２には、上述した左上部開口４７１が設けられている。第１右リブ部４８Ａの上面４８２には、上述した右上部開口４８１が設けられている。第１左リブ部４７Ａの上面４７２と第１右リブ部４８Ａの上面４８２とは、第１後壁部４３に接続されている。
【００６３】
第１反射部材４１は、先端部５１を含む第１突出部４５Ａを有する。第１突出部４５Ａは、第１後壁部４３から前方へ向けて突出している。第１突出部４５Ａは、第１周壁部４９と径方向に間隔を空けている。第１突出部４５Ａは、突出部４５のうち左右の第１リブ部４７Ａ，４８Ａよりも上方に位置する上面５４を有する。上面５４は、第１左リブ部４７Ａの上面４７２と第１右リブ部４８Ａの上面４８２と接続されている。上面５４は、先端部５１から後方に延びており、第１後壁部４３に接続されている。
【００６４】
第１突出部４５Ａは、突出部４５において左右のリブ部４７，４８よりも下方に位置する第１底面５２１を有する。第１底面５２１は、上述した突出部４５の底面５２の一部である。第１底面５２１は、先端部５１の下部から後方に延びている。図９に示すように、第１底面５２１は、第２後壁部４４に接続されていない。すなわち、第１底面５２１は、第２後壁部４４に対して前方に離れて配置される。
【００６５】
図１６は、第２反射部材４２を斜め後上方から見た斜視図である。図１７は、第２反射部材４２の正面図である。図１８は、第２反射部材４２を前斜め上方から見た斜視図である。図１９は、第２反射部材４２の平面図である。
【００６６】
第２反射部材４２は、上述した第２後壁部４４と第２左リブ部４７Ｂと第２右リブ部４８Ｂとを含む。第２反射部材４２は、第２左リブ部４７Ｂの底面４７４と第２右リブ部４８Ｂの底面４８４とを含む。第２左リブ部４７Ｂの底面４７４と第２右リブ部４８Ｂの底面４８４とは、第２後壁部４４に接続されている。
【００６７】
第２反射部材４２は、第２後壁部４４から前方へ向けて突出した第２突出部４５Ｂを有する。第２突出部４５Ｂは、第２周壁部５０と径方向に間隔を空けている。第２突出部４５Ｂは、左右の第２リブ部４７Ｂ，４８Ｂよりも下方に位置する第２底面５２２を有する。第２底面５２２は、上述した突出部４５の底面５２の一部である。第２底面５２２は、第２左リブ部４７Ｂの底面４７４と第２右リブ部４８Ｂの底面４８４とに接続されている。図９及び図１６に示すように、第２底面５２２には、上述した下部開口４５１が設けられている。第２底面５２２の前端は、第１底面５２１の上方に位置する。
【００６８】
第２突出部４５Ｂは、上述した反射部５３と、この反射部５３と第２底面５２２を接続する接続板部５５とを含む。第１突出部４５Ａと第２突出部４５Ｂとは、突出部４５を構成している。第１左リブ部４７Ａと第１左リブ部４７Ｂとは左リブ部４７を構成している。第２右リブ部４８Ａと第２右リブ部４８Ｂとは右リブ部４８を構成している。反射部５３は、第２底面５２２の上方に配置されている。図９に示すように、反射部５３は、第１空間Ｓ４を前後に区画する。第２底面５２２の前端５２２ａは、反射部５３よりも前方に位置する。
【００６９】
図９及び図１８に示すように、接続板部５５は、上下方向において第２底面５２２と反射部５３との間に配置されている。接続板部５５は、前端が第２底面５２２の前端５２２ａと接続されており、後端が反射部５３の下端部に接続されている。接続板部５５には、開口５５１が設けられている。第３ＬＥＤチップ３９は、第１空間Ｓ４において反射部５３よりも前方の空間に、接続板部５５の開口５５１を通して、光を照射する。
【００７０】
図９に示すように、第２基板３６の前端は、接続板部５５と第２底面５２２との間に配置される。図５に示すように、第２基板３６は、正面視において、突出部４５の先端部５１及び接続板部５５に重なる。そのため、第２基板３６が、車載状態のヘッドライト３の外観に現れ難くなっている。
【００７１】
図９に示すように、第１基板３５は、反射部５３の後方に配置される。図５に示すように、第１基板３５は、正面視において、左リブ部４７と、突出部４５の先端部５１と、反射部５３と、右リブ部４８とに重なる。そのため、第１基板３５が、車載状態のヘッドライト３の外観に現れ難くなっている。
【００７２】
図１６から図１８に示すように、第２反射部材４２は、左前壁部５６と右前壁部５７とを含む。左前壁部５６は、反射部５３の左方に配置される。右前壁部５７は、反射部５３の右方に配置される。反射部５３は、左前壁部５６と右前壁部５７とに接続されている。図１０に示すように、左前壁部５６は、左リブ部４７の前面４７３の後方に位置する。右前壁部５７は、右リブ部４８の前面４８３の後方に位置する。
【００７３】
左前壁部５６は、第２左空間Ｓ５を前後に区画する。右前壁部５７は、第２右空間Ｓ６を前後に区画する。すなわち、左前壁部５６と反射部５３と右前壁部５７とは、基板配置空間Ｓ３を前後に区画する。
【００７４】
以上説明した本実施形態に係るヘッドライト３では、
周壁部４６の径方向内方において後壁部４３，４４から前方へ突出する突出部４５を構成したとしても、突出部４５と周壁部４６とに接続されるリブ部４７，４８によって突出部４５の支持剛性を向上させることができる。
また、突出部４５の上部空間Ｓ１とリブ部４７，４８の下部空間Ｓ２とが繋がって基板配置空間Ｓ３とされているので、突出部４５単体に比べて放熱する空間の容積を大きく確保することができる。このため、放熱空間容積を向上させるために、突出部４５の断面積や長さを大きくする必要性を低減させることができる。
一方、リブ部４７は、径方向に延びて突出部４５と周壁部４６とに接続されて突出部４５周囲の空間をＳ１，Ｓ２に区切るので、突出部４５の周囲の空間のうちリブ部４７，４８を除く大部分で突出部４５と周壁部４６との間の距離Ｄ１，Ｄ２が長く確保される。このため、突出部４５の断面積を径方向に一様に大きくして放熱空間を確保する場合に比べて、配光性を確保し易い。
従って、突出部４５の支持剛性とヘッドライトの配光性とを確保しながら、ＬＥＤ基板３５，３６の放熱効率を向上させることができる。
【００７５】
上述したように、突出部４５、周壁部４６及びリブ部４７，４８は、それぞれ第１反射部材４０と第２反射部材４１とが組み合わさった構成となっている。第１反射部材４０単体で考えたとしても、第１突出部４５Ａが左右の第１リブ部４７Ａ，４８Ａの上面４７２，４８２と前面４７３，４８３に接続されるので、支持剛性を高めることができる。第１突出部４５Ａの支持剛性を高めることができるので、第１突出部４５Ａを小さくすることができる。また、ＬＥＤチップ３７，４０と第１周壁部４９との径方向の距離D１を大きくすることができるので、配光性を確保することができる。
【００７６】
同様に、第２反射部材４１単体で考えたとしても、第２突出部４５Ｂが左右の第２リブ部４７Ｂ，４８Ｂの底面４７４，４８４に接続されるので、支持剛性を高めることができる。第２突出部４５Ｂの支持剛性を高めることができるので、第２突出部４５Ｂを小さくすることができる。また、ＬＥＤチップ３８と第２周壁部５０との径方向の距離D2を大きくすることができるので、配光性を確保することができる。
このように、突出部４５、周壁部４６及びリブ部４７，４８を分割して構成しても、突出部４５の支持剛性を向上させることができると共に配光性を確保することができる。
【００７７】
さらに、突出部４５内の第１空間Ｓ４が、左リブ部４７内の第２左空間Ｓ５と、右リブ部４８内の第２右空間Ｓ６とに連通しているため、ＬＥＤ基板３５，３６から放熱する空間の容積が大きくなる。これにより、放熱効率を向上させることができる。
【００７８】
左右のリブ部４７，４８及び突出部４５は、後壁部４３，４４とクリアカバー３０との間の空間を、上部空間Ｓ１と下部空間Ｓ２とに区画する。このため、上部空間Ｓ１及び下部空間Ｓ２からの配光性を向上させることができる。特に、左右のリブ部４７，４８及び突出部４５は、後壁部４３，４４とクリアカバー３０との間の空間を、左右に区画するのではなく、上下に区画している。このため、照射角が上下に異なるハイビームとロアビームとの配光が容易である。
【００７９】
ＬＥＤ基板が第１基板３５と第２基板３６とに分けられている。そのため、レイアウトの自由度を向上させることができる。
【００８０】
第１ＬＥＤチップ３７及び第４ＬＥＤチップ４０は、上部開口４７１，４８１を通して上部空間Ｓ１に光を照射する。このため、第１基板３５を基板配置空間Ｓ３内に配置しつつ、上部開口４７１，４８１から上部空間Ｓ１に光を照射することができる。また、第１基板３５の一部が上部開口４７１，４８１から露出することで、当該一部の局所的な熱を、上部開口４７１，４８１を通して上部空間Ｓ１に逃がすことができる。これにより、放熱効率を全体的に向上させることができる。
【００８１】
第２ＬＥＤチップ３８は、下部開口４５１を通して下部空間Ｓ２に光を照射する。このため、第２基板３６を基板配置空間Ｓ３内に配置しつつ、下部開口４５１から下部空間Ｓ２に光を照射することができる。また、第２基板３６の一部が下部開口４５１から露出することで、当該一部の局所的な熱を、下部開口４５１を通して下部空間Ｓ２に逃がすことができる。これにより、放熱効率を全体として向上させることができる。
【００８２】
第１基板３５は、第１空間Ｓ４と第２空間Ｓ５，Ｓ６とに亘って配置される。このため、第１基板３５の熱を第１空間Ｓ４と第２空間Ｓ５，Ｓ６とに逃がすことができる。これにより、放熱効率がさらに向上する。また、レイアウトの自由度が向上するため、大型の基板を収容することができる。
【００８３】
左右のリブ部４７，４８の上下方向の寸法Ｌ１は、突出部４５の上下方向の寸法Ｌ１よりも小さい。このため、左右のリブ部４７，４８によって、上部空間Ｓ１と下部空間Ｓ２とが狭められることが抑えられる。これにより、照射面積を大きく確保できる。
【００８４】
第３ＬＥＤチップ３９が、第１空間Ｓ４に配置されているため、突出部４５からインナーカバー３２を通して光を照射することができる。これにより、第３ＬＥＤチップ３９を例えばポジションライトの光源として機能させることができる。
【００８５】
第３ＬＥＤチップ３９が、第２基板３６の上面に取り付けられており、第２ＬＥＤチップ３８が、第２基板３６の下面に取り付けられている。このため、第２ＬＥＤチップ３８と第３ＬＥＤチップ３９とを第２基板３６の上下の面にそれぞれ取り付けることで、第２基板３６を、第２ＬＥＤチップ３８と第３ＬＥＤチップ３９との基板として共通化できる。
【００８６】
反射部５３が、第１空間Ｓ４に配置されており、第３ＬＥＤチップ３９の光を前方へ向けて反射する。これにより、第３ＬＥＤチップ３９のレイアウトの自由度を向上させることができる。また、第３ＬＥＤチップ３９が第１ＬＥＤチップ３７，第２ＬＥＤチップ，第４ＬＥＤチップ４０よりも前方に配置されているので、突出部４５の先端部５１から前方に光を照射させ易くなる。
【００８７】
以上、本発明の一実施形態について説明したが、本発明は上記実施形態に限定されるものではなく、発明の要旨を逸脱しない範囲で種々の変更が可能である。
上記の実施形態では、突出部４５、周壁部４６及びリブ部４７，４８は、それぞれ第１反射部材４０と第２反射部材４１とが組み合わせた構成としたが、単一の反射部材で構成してもよい。
【００８８】
上記の実施形態では、第１ＬＥＤチップ３７と第４ＬＥＤチップ４０とからの光は、第１後壁部４３及び第１周壁部４９によって反射され、ヘッドライト３から斜め下方に向かって照射される。すなわち、第１ＬＥＤチップ３７と第４ＬＥＤチップ４０とは、ロービームの光源である。
【００８９】
また、第２ＬＥＤチップ３８からの光は、第２後壁部４４及び第２周壁部５０によって反射され、ヘッドライト３から斜め上方に向かって照射される。すなわち、第２ＬＥＤチップ３８は、ハイビームの光源である。第３ＬＥＤチップ３９からの光は、ポジションライトの光源である。
【００９０】
ただし、第１〜第４ＬＥＤ３７−４０の役割は、これらのものに限らず、変更されてもよい。例えば、第１ＬＥＤチップ３７がハイビームの光源であってもよい。第２ＬＥＤチップ３８がロービームの光源であってもよい。第３ＬＥＤチップ３９がハイビーム、或いはロービームの光源であってもよい。或いは、第３ＬＥＤチップ３９が省略されてもよい。第４ＬＥＤチップ４０が省略されてもよい。ＬＥＤチップの数は、４つに限らず、４つより少ない、或いは４つより多くてもよい。
【００９１】
ＬＥＤ基板の形状及び配置は上記の実施形態のものに限られない。例えば、ＬＥＤ基板は、分割されておらず、一体であってもよい。或いは、ＬＥＤ基板は、３つ以上の基板に分かれていてもよい。
【００９２】
第１基板３５が第１空間のみに配置されてもよい。第２基板が、第１空間と第２空間とに亘って配置されてもよい。
また、第１基板３５と第２基板３６との上下方向の位置を入れ替えて、第１基板３５を第２基板３６の位置に配置し、第２基板３６を第１基板３５の位置に配置してもよい。この際、第１〜第４ＬＥＤ３７−４０の位置や反射部材３１の角度を適宜調整してもよい。
【００９３】
突出部４５の形状は、円筒状に限らない。すなわち、突出部４５は、円形の断面形状に限らず、他の断面形状を有する筒状部材であってもよい。リブ部の形状は左右に延びる形状に限られない。例えば、リブ部は、突出部４５から上下に延びる形状であってもよい。
【００９４】
第３ＬＥＤチップ３９は、第１基板３５の下面に取り付けられてもよい。この場合、第１ＬＥＤチップ３７と第３ＬＥＤチップ３９とを第１基板３５の上下の面にそれぞれ取り付けることで、第１基板３５を、第１ＬＥＤチップ３７と第３ＬＥＤチップ３９との基板として共通化できる。
【００９５】
上記の実施形態では、リブ部４７，４８に上部開口４７１，４８１が設けられている。しかし、基板配置空間と上部空間とを連通させる上部開口が、突出部に設けられてもよい。或いは、基板配置空間と上部空間とを連通させる上部開口が、突出部とリブ部とに設けられてもよい。
【００９６】
上記の実施形態では、突出部４５に、下部開口４５１が設けられている。しかし、基板配置空間と下部空間とを連通させる下部開口が、リブ部に設けられてもよい。或いは、基板配置空間と下部空間とを連通させる下部開口が、突出部とリブ部とに設けられてもよい。
【００９７】
後壁部の一部のみならず全体が、ＬＥＤチップよりも後方に配置されてもよい。周壁部の一部のみならず全体が、前後方向において突出部に重なるように配置されてもよい。
【００９８】
反射部材３１は、第１反射部材４１と第２反射部材４２とに分けられていなくてもよい。第１反射部材４１と第２反射部材４２との形状は、上記の実施形態のものに限らず、変更されてもよい。インナーカバー３２は省略されてもよい。
【００９９】
上記の実施形態では、スクータ型自動二輪車に本発明のヘッドライトを適用した一例であるが、本発明のヘッドライトの適用対象はスクータ型自動二輪車に限定されるものではない。本発明のヘッドライトは、スクータ型以外の自動二輪車に適用してもよく、自動二輪車以外の鞍乗型車両に適用してもよい。なお、鞍乗型車両とは、乗員が鞍にまたがるような状態で乗車する車両全般を指している。鞍乗型車両には、自動二輪車、三輪車、四輪バギー（ＡＴＶ：All Terrain Vehicle（全地形型車両））、水上バイク、スノーモービル等が含まれる。
【産業上の利用可能性】
【０１００】
本発明によれば、突出部を有するヘッドライトにおいて光源としてＬＥＤチップを用いる場合に、突出部の支持剛性の低下とヘッドライトの光量の減少とを抑えながら、ＬＥＤ基板の放熱効率を向上させることができる。
【符号の説明】
【０１０１】
３７−４０      ＬＥＤチップ
３５，３６      ＬＥＤ基板
３３            ＬＥＤ装置
３１            反射部材
３０            クリアカバー
４３，４４      後壁部
４５            突出部
４６            周壁部
４７，４８      リブ部
Ｓ３            基板配置空間
Ｓ４            第１空間
Ｓ５，Ｓ６      第２空間
３              ヘッドライト
４７            左リブ部
４８            右リブ部
Ｓ１            上部空間
Ｓ２            下部空間
３７            第１ＬＥＤチップ
３８            第２ＬＥＤチップ
３５            第１基板
３６            第２基板
４７１，４８１  上部開口
４５１          下部開口
３９            第３ＬＥＤチップ
５３            反射部
３２            インナーカバー
【図１】
2017013712.tif 000003
【図２】
2017013712.tif 000004
【図３】
2017013712.tif 000005
【図４】
2017013712.tif 000006
【図５】
2017013712.tif 000007
【図６】
2017013712.tif 000008
【図７】
2017013712.tif 000009
【図８】
2017013712.tif 000010
【図９】
2017013712.tif 000011
【図１０】
2017013712.tif 000012
【図１１】
2017013712.tif 000013
【図１２】
2017013712.tif 000014
【図１３】
2017013712.tif 000015
【図１４】
2017013712.tif 000016
【図１５】
2017013712.tif 000017
【図１６】
2017013712.tif 000018
【図１７】
2017013712.tif 000019
【図１８】
2017013712.tif 000020
【図１９】
2017013712.tif 000021